(57)【要約】【課題】塵芥投入口の扉を引き上げるアシスト力を発生させるアシスト機構を備えた、塵芥収集車の塵芥投入箱において、アシスト機構等のメンテナンス性を向上させた塵芥収集車の塵芥投入箱を提供する。【解決手段】塵芥投入箱５の後面に設けられた塵芥投入口５ａを昇降により開閉し、開放時に塵芥投入箱の後面上部に設けられたカバーの裏側に隠蔽収容されるように構成された扉６と、扉６の開閉軌道を案内するガイド機構６ａ、８と、一端側が塵芥投入箱５の側板７に回動自在に支持され、他端側が扉６の上端両側部に回動自在に連結された扉開閉アーム１３と、扉開閉アーム１３の前記他端側が、前記一端側の支持点１３Ｙを中心として上方に回動付勢されるように、一端側が塵芥投入箱５の側板７に固定され、他端側が扉開閉アーム１３に連結された引張コイルばね１４と、を備える。【選択図】図４
2008285317.tif 000002
【特許請求の範囲】
【請求項１】
塵芥投入箱の後面に設けられた塵芥投入口を昇降により開閉し、開放時に塵芥投入箱の後面上部に設けられたカバーの裏側にその一部又は全部が隠蔽収容されるように設けられた扉と、
前記扉の開閉軌道を案内するガイド機構と、
一端側が塵芥投入箱の側面に回動自在に支持され、他端側が前記扉の側部に回動自在に連結された扉開閉アームと、
前記扉開閉アームの前記他端側が、前記一端側の支持点を中心として上方に回動付勢されるように、一端側が塵芥投入箱の側面に固定され、他端側が前記扉開閉アームに連結された付勢部材と、
を備えることを特徴とする塵芥収集車の塵芥投入箱。
【請求項２】
前記付勢部材は、引張コイルばねからなり、その一端側が塵芥投入箱の側面上において前記扉開閉アームの一端側の支持点より上方に固定され、その他端側が前記扉開閉アームの一端側の支持点と同扉開閉アームの他端側の連結点との間に連結されたものであることを特徴とする請求項１に記載の塵芥収集車の塵芥投入箱。
【請求項３】
前記ガイド機構は、前記塵芥投入箱の塵芥投入口に設けられた左右一対のガイドレールと、前記扉の下側両側部に設けられ、前記ガイドレールに沿って移動する案内子と、を備えることを特徴とする請求項１又は２に記載の塵芥収集車の塵芥投入箱。
【請求項４】
前記引張コイルばねの前記他端側は、前記扉開閉アームの前記支持点寄りに連結されていることを特徴とする請求項２に記載の塵芥収集車の塵芥投入箱。
【発明の詳細な説明】
【技術分野】
【０００１】
本発明は、塵芥収集車の塵芥投入箱に関し、特に、塵芥投入箱の扉の開閉機構に関するものである。
【背景技術】
【０００２】
塵芥収集車には、収集した塵芥を収容するための塵芥収容箱が搭載されており、その後方に塵芥投入箱が連設されている。塵芥投入箱に投入された塵芥は、塵芥投入箱内に装備された塵芥積込装置により塵芥収容箱の方へ積み込まれる。
【０００３】
塵芥投入箱の後面には、塵芥を投入するための塵芥投入口が設けられており、この塵芥投入口には、塵芥収集車の走行中、塵芥投入箱内から外へ塵芥、汚水などが飛散しないように、扉が設けられている（例えば、特許文献１参照。）。
【０００４】
特許文献１に開示されている塵芥投入箱では、塵芥投入口に、スライド昇降により該塵芥投入口を開閉する扉が設けられている。したがって、扉を下方へスライドさせると、塵芥投入口が閉鎖され、扉を上方へスライドさせると、塵芥投入口が開放される。開放時、扉は塵芥投入箱本体の後面上部のカバー（テールランプ等が埋め込まれたカバー）裏側に隠蔽収容されるようになっている。
【０００５】
上記したような、昇降により塵芥投入口を開閉する扉では、扉を開ける際に、扉の重量に抗して扉を引き上げる力が必要であり、扉を閉じる際に、扉が自重で急落しないように扉の重量を支持しつつ静かに降ろす力が必要となる。このため、塵芥投入箱の扉の開閉作業は、作業者にとって大きな負担となっていた。
【０００６】
そこで、本件出願人は、かかる作業者の負担を軽減するためのアシスト機構を開発し、このアシスト機構を備えた塵芥投入箱に関する特許出願（特願２００６−９３８７６）をしている。このアシスト機構を備えた塵芥収集車の塵芥投入箱について以下に説明する。
【０００７】
図８（ａ）は塵芥投入箱の内側面図である。塵芥投入箱は、左右一対の側板３１（以下、図面上では、左側を省略する。）、各側板３１にそれぞれ設けられた上部および下部ガイドレール３２、３３、扉３４などを備えている。
【０００８】
左右の側板３１は、車幅方向に架設された図示しない支持部材により互いに連結されており、扉３４、ガイドレール３２、３３、アシスト機構等を支持するフレームを構成している。
【０００９】
上部ガイドレール３２および下部ガイドレール３３は、断面コ字状のレールで構成されており、上部ガイドレール３２には、扉３４の上部両側部に取り付けられているローラ３５が転動自在に嵌入され、下部ガイドレール３３には、扉３４の下部両側部に取り付けられているローラ３６が転動自在に嵌入されている。
【００１０】
扉３４は、ガイドレール３２、３３に沿って略円弧状の軌道上をスライド昇降する。扉３４を下方へスライドさせると、塵芥投入口が閉鎖され、扉３４を上方へスライドさせると、当該扉３４は、把手３４ａおよびその近傍を除いて、塵芥投入箱本体の後面上部のカバー３７（テールランプ等が埋め込まれたカバー３７）の裏側に隠蔽収容されるようになっている。
【００１１】
つぎに、上記扉３４のアシスト機構について説明する。図８（ｂ）は、図８（ａ）におけるＢ矢視平面図で側板３１、アーム３８、引張りコイルばね３９による機構部分を示す。図９は、図８（ａ）におけるＡ−Ａ断面図で、側板３１、アーム３８、引張りコイルばね３９、スライダ４０、扉３４、上部ガイドレール３２による機構部分を示す。図１０は、図８（ａ）の矢印Ｂ方向から見たアシスト機構の動作を示す模式図である。各図に共通の直交３軸Ｘ−Ｙ−Ｚを示している。
【００１２】
図８および図９に示すように、アシスト機構は、アーム３８、スライダ４０、引張コイルばね３９などで構成されている。
【００１３】
アーム３８の基端側は、Ｙ軸方向に軸芯が配されたＹ軸ピン継手３８ａ、Ｚ軸方向に軸芯が配されたＺ軸ピン継手３８ｂを介して側板３１に固定支持されている。なお、Ｚ軸ピン継手３８ｂは、Ｙ軸ピン継手３８ａより側板３１寄りに配置されている。一方、アーム３８の先端側は、Ｙ軸方向に軸芯が配されたＹ軸ピン継手３８ｃ、Ｚ軸方向に軸芯が配されたＺ軸ピン継手３８ｄを介して後述するスライドユニット４０ｂに連結されている。なお、Ｚ軸ピン継手３８ｄは、Ｙ軸ピン継手３８ｃよりスライドユニット４０ｂ寄りに配置されている。かかる構成により、アーム３８は、Ｙ軸周りとＺ軸周りの２方向に揺動自在になっている。
【００１４】
スライダ４０は、スライドシャフト４０ａと、スライドユニット４０ｂとを備えている。スライドシャフト４０ａは、断面円状の真直な軸材（中空軸材）からなり、その長手方向が車幅方向（Ｘ軸方向）に配されて、扉３４の裏面上部の中央寄りに固定されている。スライドユニット４０ｂは、円筒部４０ｃと、円筒部４０ｃに結合された連結ピン４０ｄとで構成されている。円筒部４０ｃは、スライドシャフト４０ａの長手方向に沿ってスライド自在に、且つスライドシャフト４０ａの外周方向に回動自在に、スライドシャフト４０ａに外嵌されている。連結ピン４０ｄは、軸芯方向がスライドシャフト４０ａの長手方向に対して直交するように、円筒部４０ｃの外周面に突設されている。なお、連結ピン４０ｄは、上述のＺ軸ピン継手３８ｄの連結ピンを兼ねている。
【００１５】
引張コイルばね３９の両端には、フック３９ａ、３９ｂが形成されている。これらフック３９ａ、３９ｂは、アーム３８の基端より上方において側板３１上に設けられたバネ掛止部３１ａにばね撓み量調整可能に固定されたリング３１ｂと、両足がアーム３８に剛結されたブリッジ状のバネ掛止部３８ｅの孔３８ｆと、にそれぞれ掛止されている。引張コイルばね３９は、扉３４の位置にかかわらず、常に張力が発生するようになっている。
【００１６】
つぎに、上記アシスト機構の作用について図１０を参照して簡単に説明する。図１０において、連結点４１はＹ軸およびＺ軸回動点であり、連結点４２はＹ軸およびＺ軸回動並びにＸ方向移動点である。図１０（ａ）は、扉３４が閉まっている状態を示す。図１０（ｃ）は、扉３４が開いている状態を示す。図１０（ｂ）は、扉３４が中間よりやや低い位置に位置し、図８、９と同じ状態を示す。
【００１７】
図１０（ａ）〜（ｃ）の何れの状態においても、引張りコイルばね３９、３９の引張力によって、アーム３８、３８には、連結点４１、４１を中心として連結点４２、４２側を上方（Ｙ方向）へ回動させる力が働いており、さらに、そのアーム３８は連結点４２、４２において、扉３４を上方へ引き上げるアシスト力Ｐ、Ｐを発生している。
【００１８】
このため、扉３４を閉鎖している状態（図１０（ａ）参照）から引き上げる際に必要な引き上げ力や、扉３４を開放している状態（図１０（ｃ）参照）から静かに閉める際に必要な支持力が大幅に緩和され、扉３４を開閉する際の作業者の負担が大幅に軽減される。
【特許文献１】特開２００５−３１４０６１
【発明の開示】
【発明が解決しようとする課題】
【００１９】
以上の説明から明らかなように、上記アシスト機構は多数の摺動箇所を有している。アシスト機構を常に正常に作動させるためには、摺動箇所の点検、摺動箇所への潤滑剤の補充などのメンテナンスが不可欠である。また、引張コイルばね３９などの重要部品の点検、交換なども不可欠である。
【００２０】
ところが、アシスト機構のスライダ４０、ピン継手３８ａ〜３８ｄなどの摺動箇所、引張コイルばね３９などは、扉３４の裏面やカバー３７の裏側など、外観から隠れた暗所に設けられており、メンテナンス作業者がメンテナンスを行う際には、塵芥投入口に頭や体を入れて、点検箇所を懐中電灯などで照らしながら作業しなければならず、楽な姿勢で簡単にメンテナンスを行うことができなかった。
【００２１】
本発明は、上記問題に鑑みてなされたものであり、塵芥投入口の扉にアシスト力を付与するアシスト機構を備えた、塵芥収集車の塵芥投入箱において、アシスト機構のメンテナンスを楽に行うことを可能とした塵芥収集車の塵芥投入箱を提供することを目的とする。
【課題を解決するための手段】
【００２２】
上述の課題を解決するための手段として、本発明の塵芥収集車の塵芥投入箱は、以下のように構成されている。すなわち、本発明の塵芥収集車の塵芥投入箱は、塵芥投入箱の後面に設けられた塵芥投入口を昇降により開閉し、開放時に塵芥投入箱の後面上部に設けられたカバーの裏側にその一部又は全部が隠蔽収容されるように設けられた扉と、前記扉の開閉軌道を案内するガイド機構と、一端側が塵芥投入箱の側面に回動自在に支持され、他端側が前記扉の側部に回動自在に連結された扉開閉アームと、前記扉開閉アームの前記他端側が、前記一端側の支持点を中心として上方に回動付勢されるように、一端側が塵芥投入箱の側面に固定され、他端側が前記扉開閉アームに連結された付勢部材と、を備える。
【００２３】
また、本発明の塵芥収集車の塵芥投入箱は、上記構成において、前記付勢部材は、引張コイルばねからなり、その一端側が塵芥投入箱の側面上において前記扉開閉アームの一端側の支持点より上方に固定され、その他端側が前記扉開閉アームの一端側の支持点と同扉開閉アームの他端側の連結点との間に連結されたものであってもよい。
【００２４】
また、本発明の塵芥収集車の塵芥投入箱は、上記何れかの構成において、前記ガイド機構は、前記塵芥投入箱の塵芥投入口に設けられた左右一対のガイドレールと、前記扉の下側両側部に設けられ、前記ガイドレールに沿って移動する案内子と、を備えるものであってもよい。
【００２５】
上記構成を備える本発明の塵芥収集車の塵芥投入箱によれば、扉にアシスト力が働くので、作業者は軽い力で扉を開閉することができる。また、メンテナンスが必要な摺動箇所などが塵芥投入箱の側部に配置されるので、作業者は楽な姿勢で簡単にメンテナンスを行うことができる。
【００２６】
また、本発明の塵芥収集車の塵芥投入箱は、上記構成において、前記引張コイルばねの前記他端側は、前記扉開閉アームの前記支持点寄りに連結されていることが望ましい。
【００２７】
かかる構成により、扉に作用するアシスト力が全閉状態から全開状態に亘って安定し、扉の開閉操作がし易くなる。
【発明の効果】
【００２８】
本発明の塵芥収集車の塵芥投入箱によれば、メンテナンスが必要な摺動箇所などが塵芥投入箱の側部に配置されるので、作業者は楽な姿勢で簡単にメンテナンスを行うことができる。
【発明を実施するための最良の形態】
【００２９】
以下、本発明の実施の形態について図面に基づいて説明する。図１は塵芥収集車１の左側面図、図２は塵芥収集車１の平面図、図３は塵芥収集車１の背面図である。図示する塵芥収集車１は、車枠２の前部に運転席３が配置されており、その後方に塵芥収容箱４が搭載され、さらに塵芥収容箱４の後方に塵芥投入箱５が連設されている。
【００３０】
図４は塵芥投入箱５の左側面を拡大した図であり、塵芥投入箱５の側面を覆うサイドカバー５ｃを省略して表した図である。塵芥投入箱５の後面下側には、塵芥投入口５ａが設けられており、塵芥投入箱５内には図示しない従来周知の塵芥積込装置が装備されている。塵芥投入口５ａから投入された塵芥は、塵芥積込装置により塵芥収容箱４側へ積み込まれるようになっている。塵芥投入口５ａには、走行中に、塵芥投入箱５内から塵芥、汚水などが外へ飛散することを防止するために、昇降により塵芥投入口５ａを開閉する扉６が設けられている。この扉６は、開放時に、塵芥投入箱５の後面上部に設けられたカバー（テールランプ、ストップランプ等が埋め込まれたカバー）５ｂの裏側に隠蔽収容されるように設けられている。なお、本実施の形態においては、扉６は、開放時に、その大部分がカバー５ｂの裏側に隠蔽収容されるように設けられているが、扉６の全部がカバー５ｂの裏側に隠蔽収容されるように設けられていてもよいし、扉６の一部だけがカバー５ｂの裏側に隠蔽収容されるように設けられていてもよい。
【００３１】
＜扉の開閉機構について＞
扉６は、塵芥投入口５ａの開口形状にほぼ対応した外形を有しており、例えば、塵芥投入箱５の後面形状に調和する湾曲した薄板材、該薄板材の裏面に固設された補強フレームなどで構成される。図５および図６に示すように、扉５の下端両側部には、後述するガイドレール８に沿って移動する案内子６ａが設けられており、扉５の上端両側部には、後述する扉開閉アーム１３に連結される、側方へ水平に突出した連結軸６ｃが設けられている。
【００３２】
図５および図６に示すように、扉５の下端両側部に設けられた案内子６ａは、左右一対のガイドレール８とともに、扉６の開閉軌道を案内するガイド機構を構成している。なお、ガイドレール８は、塵芥投入箱５の側板７の湾曲した後縁部に沿って塵芥投入口５ａの両側にそれぞれ固設されている。ガイドレール８は、扉５の下端両側部に設けられた案内子６ａの移動範囲内に在れば足りる。したがって、本実施の形態においては、ガイドレール８は、塵芥投入口５ａの左右両側の下端から上端に亘って設けられていればよく、塵芥投入口５ａより高い位置にガイドレール８を設ける必要はない。
【００３３】
図７に示すように、ガイドレール８は、例えば断面コ字状の溝を有するレールで構成されており、案内子６ａは、例えば扉６の下端部を構成する車幅方向に配設された扉フレーム６ｂに、回転自在に設けられ、側方に突設されたローラで構成され、このローラがガイドレール８の溝内に転動自在に嵌入されている。案内子６ａは、扉６の下端両側部に各１個設けられているが、案内子６ａの数をこれより増加させて、扉６の両側部において上下方向に間隔をおいて複数個設置してもよい。また、案内子６ａの設置箇所は、扉６の下端両側部であることが望ましいが、扉６と後述する扉開閉アーム１３との連結点１３Ｘより下方であれば、扉６の両側部において下端以外の場所に設置することも可能である。
【００３４】
なお、上記扉開閉機構は、扉６を全閉位置および全開位置でガイドレール８に固定するストッパ機構を備えているので、このストッパ機構について簡単に説明しておく。
【００３５】
ストッパ機構は、図６および図７に示すように、案内子６ａ内からガイドレール８側へ出没可能に設けられたストッパ本体１０、ガイドレール８の始端付近および終端付近にガイドレール８の溝内に設けられた係止孔８ａ、８ｂ（図４参照。）などで構成されている。扉６の全開時および全閉時において、作業者により把手１１に付設されたレバー（不図示）が握られると、レバー操作と連動するように、当該レバーにワイヤ１２を介して接続されたストッパ本体１０が案内子６ａ内（反ガイドレール８側）に没入されてロックが解除され、扉６は作業者によって自在に昇降させることができるようになる。
【００３６】
一方、作業者がレバーを開放すると、扉６の全開時および全閉時において、ストッパ本体１０は、このストッパ本体１０をガイドレール８側（ロック側）へ付勢しているスプリング１０ａによって、案内子６ａの端面からガイドレール８側へ突出されて、ガイドレール８の係止孔８ａ又は８ｂに嵌入し、扉６は昇降移動できないようにガイドレール８に固定される。
【００３７】
＜扉のアシスト機構について＞
次に扉６の開閉をアシストするアシスト機構について説明する。アシスト機構は、作業者が小さな力でも扉６を昇降することができるように、扉６に対して持ち上げ方向にアシスト力を発生するための機構である。
【００３８】
アシスト機構は、扉開閉アーム１３、付勢部材１４などで構成されている。
【００３９】
扉開閉アーム１３は、塵芥投入箱５の側面である、側板７の外側面に、その一端部（一端側）が回動自在に軸支され、その他端部（他端側）が扉の側部に回動自在に連結されている。なお、扉開閉アーム１３の屈曲部には、扉開閉アーム１３の当該屈曲部の曲げ応力を軽減する補強板１３ａが固設されている。また、図示する扉開閉アーム１３は、側板７に設けられた作業用ハンドル１５等との干渉を避けるためにくの字状に形成されているが、扉開閉アーム１３の形状はこれに限定されない。
【００４０】
付勢部材１４は、扉開閉アーム１３の他端部１３Ｘ側、つまり、扉開閉アーム１３の扉６との連結点１３Ｘ側が、扉開閉アーム１３の一端部の支持点１３Ｙを中心に上方へ回動付勢（図示左回りに付勢）されるように、側板７と扉開閉アーム１３とを接続している。
【００４１】
例えば、付勢部材１４は、引張コイルばね１４からなり、その一端部（一端側）は、塵芥投入箱５の側板７の外側面上で扉開閉アーム１３の一端側の支持点１３Ｙより上方において、同面上に張力調整手段１６を介して設置された掛止部１７に掛止されることにより固定されている。引張コイルばね１４の他端部（他端側）は、扉開閉アーム１３に、該扉開閉アーム１３に固設されたスプリング係合部１３ｂを介して連結されている。ここで、引張コイルばね１４の他端部が扉開閉アーム１３へ連結される場所は、扉開閉アーム１３の中央よりも支持点１３Ｙ寄りであればよく、好ましくは、図示するように、支持点１３Ｙと引張コイルばね１４の他端部の連結箇所との距離が、扉開閉アーム１３の回転半径（支持点１３Ｙと扉６の連結点１３Ｘとの直線距離）の例えば１／３以下となるようにする。
【００４２】
なお、上記張力調整機構１６は、引張コイルばね１４の撓み量を調整するためのものである。また、引張コイルばね１４は、扉６の全開時においても、張力を発生するように設置されており、扉６がどの位置にあっても常に扉６に引き上げ力が働くように、引張コイルばね１４の自然長、撓み量、配置などが定められている。
【００４３】
以上説明した扉６のアシスト機構の作用について説明する。扉６を閉鎖状態から開放状態にする場合、作業者は、把手１１のレバーを握って、扉６とガイドレール８とのロックを解除し、把手１１とともに扉６を上方へ引き上げる。このとき、扉開閉レバー１３は、引張コイルばね１４によって、扉開閉アーム１３と扉６との連結点１３Ｘ側が上方回動する方向に付勢されており、この付勢が、扉６を引き上げるアシスト力として作用する。この結果、作業者に要求される扉６を引き上げる力が軽減される。
【００４４】
一方、扉６を開放状態から閉鎖状態にする場合、作業者は、把手１１のレバーを握って、扉６とガイドレール８とのロックを解除し、把手１１とともに扉６を下方へ押し下げる。このときも、扉開閉レバー１３は、引張コイルばね１４によって、扉開閉アーム１３と扉６との連結点１３Ｘ側が上方回動する方向に付勢されており、この付勢が、扉６が急落下しないように支持するアシスト力として作用する。この結果、作業者に要求される扉６を支持する力が軽減される。
【００４５】
ところで、既述したように、引張コイルばね１４は、扉開閉アーム１３の基端側の支持点１３Ｙ寄りに連結されている。このことから、扉６の全閉状態と全開状態とでの引張コイルばね１４の撓み量の変化が少なくなり、その結果、扉６に作用する上記アシスト力（引き上げ力）が全閉状態から全開状態に亘って安定し、扉６の開閉操作がし易くなっている。
【００４６】
なお、図１〜図３に示すように、上記アシスト機構等が設けられている塵芥投入箱５の側面には、開閉自在なサイドカバー５ｃが設けられている。このサイドカバー５ｃは、当該側面に設置されているアシスト機構等を砂、泥、埃、日光などから保護するため、あるいは作業者の手、衣服などが機械に巻き込まれるのを防止するために設けられている。サイドカバー５ｃは、その前端部が塵芥投入箱５の側面前端部と蝶番などのヒンジ部材２１により回動自在に連結されている。つまり、サイドカバー５ｃは、ヒンジ部材２１を中心に回動して開閉するようになっている（図２の２点差線参照。）。また、サイドカバー５が閉鎖されているときに、サイドカバー５ｃの後端部と該後端部が接合する塵芥投入箱５の後側部とを留め付けるカバー留め付け金具（ファスナー）２２がサイドカバー５および塵芥投入箱５とに分離可能に設けられている。
【００４７】
＜アシスト機構等のメンテナンスについて＞
以下、上記アシスト機構等についてのメンテナンスについて説明する。
【００４８】
アシスト機構などをメンテナンスする際には、まず、カバー留め付け金具２２を解除して、サイドカバー５ｃを開放する。そして、塵芥投入箱５の側面に設けられている点検すべき箇所を点検する。例えば、扉開閉アーム１３の支持点１３Ｙ、扉開閉アーム１３と扉６との連結点１３Ｘ、引張コイルばね１４などを点検する。
【００４９】
支持点１３Ｙおよび連結点１３Ｘについては、作業者により潤滑状態の目視点検が行われる。潤滑油が切れている場合は、作業者により潤滑油が給油される。
【００５０】
引張コイルばね１４については、引張コイルばね１４の張力状態、損傷の有無などの点検が行われる。張力状態が緩んでいる場合には、張力調整手段１６により引張コイルばね１４の張力が適値に調整される。
【００５１】
本発明の実施の形態に係る塵芥収集車１の塵芥投入箱５においては、メンテナンスすべき箇所は、何れも塵芥投入箱５の側面に存在することから、点検作業者は楽な姿勢で簡単に点検することができ、また、補修、交換作業等も容易に行うことができる。
【００５２】
また、従来例に挙げて説明した塵芥収集車においては、扉の四隅がガイドレールに案内されていたが、本発明の実施の形態に係る塵芥収集車１では、扉６の下側だけが、ガイドレール８に案内され、扉６の上側はガイドレール８の案内を不要としているので、従来例に係る塵芥投入箱のように、高い位置にガイドレール８を設ける必要がない。その結果、点検作業者は、比較的低位置にあるガイドレール８の潤滑状態のみを点検すればよく、点検作業を楽に行うことができる。
【００５３】
なお、以上の説明において、参照した図面は、回転式塵芥収集車を例示しているが、本発明は、回転式塵芥収集車の塵芥投入箱に限らず、プレス式塵芥収集車の塵芥投入箱にも勿論適用することが可能である。
【産業上の利用可能性】
【００５４】
本発明は、塵芥収集車の塵芥投入箱に適用可能である。
【図面の簡単な説明】
【００５５】
【図１】本発明の実施の形態に係る塵芥収集車の左側面図である。
【図２】本発明の実施の形態に係る塵芥収集車の平面図である。
【図３】本発明の実施の形態に係る塵芥収集車の背面図である。
【図４】本発明の実施の形態に係る塵芥収集車の塵芥投入箱の左側面図である。サイドカバーは省略されている。
【図５】本発明の実施の形態に係る塵芥収集車の塵芥投入箱の背面図であって、左側部のみを詳しく表した図である。
【図６】図５のＣ部拡大図である。
【図７】図４のＢ−Ｂ断面図である。
【図８】（ａ）は、本件出願人の先行出願に記載されている塵芥投入箱の内側面を示す図である。（ｂ）は、（ａ）のＢ矢視平面図である。
【図９】図８（ａ）のＡ−Ａ断面図である。
【図１０】本件出願人の先行出願に記載されているアシスト機構の動作を示す模式図である。
【符号の説明】
【００５６】
１  塵芥収集車
５  塵芥投入箱
５ａ  塵芥投入口
６  扉
６ａ  案内子
８  ガイドレール
１３  扉開閉アーム
１３Ｙ  支持点
１３Ｘ  連結点
１４  引張コイルばね（付勢部材）
【図１】
2008285317.tif 000003
【図２】
2008285317.tif 000004
【図３】
2008285317.tif 000005
【図４】
2008285317.tif 000006
【図５】
2008285317.tif 000007
【図６】
2008285317.tif 000008
【図７】
2008285317.tif 000009
【図８】
2008285317.tif 000010
【図９】
2008285317.tif 000011
【図１０】
2008285317.tif 000012